(57)【要約】【課題】簡単な操作で防水機能が確実に作用しているかを確認することができる撮像装置を提供する。【解決手段】本発明では、防水機能検査確認窓２０から、防水検査結果を示す撮像装置本体１内の指標部２１の移動量を見ることによって、その撮像装置本体１の防水機能が維持されているかどうかを確認することが可能である。また、操作レバー２２を手動操作によって右方向端まで動かすことにより、指標部２１を検査準備位置にセットすることが可能である。【選択図】図１
2008015445.tif 000002
【特許請求の範囲】
【請求項１】
防水機能を有する撮像装置本体と、パッキン部材により防水構造とした電池蓋と、防水機能に不具合がないか否かを確認する防水機能検査確認窓と、該防水機能検査確認窓から確認可能な指標部と、を備えることを特徴とする撮像装置。
【請求項２】
前記パッキン部材により気密化されてスプリングの力により移動可能なピストン部と、該ピストン部が内部に配置されて軸方向へ摺動する筒部と、該筒部の一端に設けられた撮像装置本体の外側の大気に通じる穴と、該筒部の他端に設けられて撮像装置本体の内部の空間に通じる開口部と、前記ピストン部の移動範囲内で前記スプリングの力が略最大の位置に固定可能なロック爪と、を備え、
前記ピストン部の移動量を前記防水機能検査確認窓から確認可能であることを特徴とする請求項１記載の撮像装置。
【請求項３】
前記スプリングの付勢方向は、前記穴の方向であることを特徴とする請求項２記載の撮像装置。
【請求項４】
前記ピストン部を、その移動範囲内で前記スプリングの力が略最小となる位置に固定可能な係止爪を備えることを特徴とする請求項２または３記載の撮像装置。
【請求項５】
前記ロック爪と前記係止爪は、撮像装置本体の外側の外気側に配置され、また、前記指標部は撮像装置本体の内側に配置されていることを特徴とする請求項４記載の撮像装置。
【請求項６】
防水機能を有する外装カバーと、撮影レンズと、該撮影レンズにより形成される光学像を撮像して電気信号に変換するＣＣＤと、作動時に発熱を伴う電気素子と、前記撮影レンズの前面に配置されたカバーガラスと、前記外装カバー下部に外装カバー内部の空間とつながる注入口及び排出口と、該注入口及び排出口を防水状態で塞ぐ防水カバーと、を備えることを特徴とする撮像装置。
【請求項７】
前記注入口へは乾燥剤により湿気を除去されて乾燥した空気を注入する注入装置を接続可能とし、前記排出口からは前記外装カバー内部の空気を排出可能としたことを特徴とする請求項６記載の撮像装置。
【請求項８】
前記排出口から前記外装カバー内部の空気を排出し、該排出された空気を乾燥剤の中を通して湿気を除去して前記注入口から乾燥した空気を注入する空気循環乾燥装置を接続可能としたことを特徴とする請求項６記載の撮像装置。
【請求項９】
前記空気循環乾燥装置の定められた位置に該撮像装置を設置することにより、当該撮像装置の前記排出口及び前記注入口と該空気循環乾燥装置とを接続可能としたことを特徴とする請求項６、７または８記載の撮像装置。
【請求項１０】
防水機能を有する外装カバーと、鏡胴のベースとなり焦点距離を変化させるズーム時に回転や移動を行なわない固定枠、前記鏡胴を構成する筒のうち少なくとも1つが回転せずに前後に進退する直進筒、及び少なくとも一つは回転するが前後には移動しない回転筒を有するズームレンズ鏡胴と、前記ズームレンズ鏡胴により形成される光学像を撮像して電気信号に変換するＣＣＤと、前記外装カバーと一体に形成されて前方に突出し所定の隙間を有して前記ズームレンズ鏡胴を被う鏡胴カバー部と、前記ズームレンズ鏡胴前面に配置されたカバーガラスと、を備え、
前記固定枠の前面部と前記外装カバーとの間にゴム部材を挟んだことを特徴とする撮像装置。
【請求項１１】
前記ゴム部材はリング状の形状であることを特徴とする請求項１０記載の撮像装置。
【請求項１２】
前記ゴム部材はゴム小片として概略角度９０°間隔で複数個配置されていることを特徴とする請求項１０記載の撮像装置。
【請求項１３】
前記ゴム部材の断面形状は円形のＯリングであることを特徴とする請求項１０記載の撮像装置。
【請求項１４】
前記ゴム部材は前記固定枠の先端円周方向外形も覆う形状のゴム部材であることを特徴とする請求項１０乃至１３の何れか一項に記載の撮像装置。
【請求項１５】
前記ゴム部材は低反発性ゴムから成ることを特徴とする請求項１０乃至１４の何れか一項に記載の撮像装置。
【発明の詳細な説明】
【技術分野】
【０００１】
本発明は、防水機能を有するようにカメラボディを構成した撮像装置、特に電子カメラに関するものである。
【背景技術】
【０００２】
防水型撮像装置に関連して、例えば、特許文献１には、内方空間に連通する吸引孔を有する水密状に構成された防滴防水カメラに接続されて防滴防水カメラの防水性能を検査する防滴防水検査装置であって、吸引孔に接続されて防滴防水カメラの内方空間圧力を減圧させる減圧手段、内方空間の圧力を検知する圧力検知手段、およびこの圧力検出手段による検知に基づき減圧手段による減圧完了後の圧力変化を判定する判定手段を有し、防滴防水カメラの防滴防水性能を、簡単かつ確実に検査することができ防滴防水検査装置が開示されている。
【０００３】
また、特許文献２には、筐体に組み込まれており、撮影レンズ、レンズ鏡筒、撮像素子、赤外カットフィルタ、フィルタ保持部材、衝撃緩和材からなり、レンズ鏡筒は、撮影レンズを保持するレンズ保持枠、マクロ調整用カム筒、固定筒、及びコイルばねからなり、レンズ保持枠の前方円筒部には、衝撃緩衝材の内周面が勘合し、フランジ部には、端面が圧接し、衝撃緩衝材は、レンズ保持枠と露呈穴の周縁部の内壁面との間に挟まれる構成の撮影装置について開示されている。
また、特許文献３には、繰り出し、沈胴式のレンズ鏡胴を備えた光学機器に関し、前方からの衝撃に強いレンズ鏡胴とし、繰り出し時に、前端に繰り出される直進移動筒の前に飾り銘板を取り付け、それらの間に衝撃吸収用のゴムリングを配置した光学機器について開示されている。
【０００４】
また特許文献４には、外壁の一部に設けられた開口部を多孔質膜もしくは天然コルクで密閉した防水カメラケース及びフィルム一体型防水カメラにおいて、多孔質膜より侵入した水蒸気が内部で結露して撮影できなくなる事を防ぐことを第１の目的とし、日焼け止め乳液等で防水カメラケースが白濁することを防ぐことを第２の目的とし、防水カメラケース及びフィルム一体型防水カメラ内部に吸湿材を配設し、吸湿材が塩化カリウムであり、少なくとも外観部材がＡＳ樹脂により形成されている防水カメラケース及びフィルム一体型防水カメラについて開示されている。
また特許文献５には、防水型レンズ付きフイルムユニットは、レンズ付きフイルムユニットと、これを収納する防水ケースとからなり、防止ケースの前面には、撮影レンズ及びファインダを露呈する露呈部が設けられ、防水ケースの両側面には、前記露呈部よりも肉厚の薄い薄肉部が形成され、前記露呈部の内壁に結露が生じないように、前記内壁と接する空気の湿気を除去する防湿手段を設けた防水型カメラについて開示されている。
【特許文献１】実開平５−２７７４０号公報
【特許文献２】特開２００５−１７３２４９公報
【特許文献３】特開２０００−２９２８４３公報
【特許文献４】特開平７−１０４３６７号公報
【特許文献５】特開２０００−１９４０４８公報
【発明の開示】
【発明が解決しようとする課題】
【０００５】
防水型撮像装置は、製造工程では防水検査装置により防水性能の検査を行っているが、ユーザがその防水型撮像装置が防水性能を維持しているかを確認したい場合には、上記従来技術に記載されているような検査装置を購入して使用することが考えられる。しかし、このような検査装置はコスト、持ち運び性等を考えると実用的ではない。また、実際に水に浸けることにより検査することが可能ではあるが、万が一水漏れが発生した場合には、その防水型撮像装置が壊れてしまう恐れがある。
特許文献２に開示されている従来技術は、撮像レンズを保持するレンズ保持枠と、外装カバーの間に、衝撃緩衝材を挟み込んでいるが、繰り出し沈胴式のズームレンズ鏡胴の場合には、レンズ保持枠に直接衝撃緩衝材を作用させることはできない。
【０００６】
また、特許文献３に開示されている従来技術は、繰り出し、沈胴式のレンズ鏡胴において、繰り出し時に前端に繰り出される直進移動筒の前に飾り銘板を取り付け、その間に衝撃吸収用のゴムリングを配置しているが、この場合には、繰り出し状態においてレンズ鏡胴先端が何かにぶつかったりして押されて、レンズ鏡胴に衝撃が加わった場合には有効であるが、外装カバーに衝撃が加わった場合には効果がない。
また、特許文献４に開示されている従来技術は、防水カメラケース内部で結露して撮影が出来なくなるのを防止するために、防水カメラケース内部に吸湿材を入れているが、この吸湿材を交換するためには防水カメラケース自体を開けなければならず、容易に交換が出来ず、また、交換の際に防水カメラケース内の除湿された空気の大部分が放出されてしまう欠点がある。
【０００７】
また、特許文献５に開示されている従来技術は、防水ケースの中に湿気を吸収する吸湿材を入れているが、この場合は防水型レンズ付きフィルムユニットの場合であり、製造段階で密閉されると、通常のデジタルカメラのように電池蓋を開けられるようなことがないので可能であるが、通常のデジタルカメラの場合には電池蓋を開けられるので、その時に湿った外気が入り込む可能性があり、吸湿材が水分を吸い込んで、吸湿作用をしなくなった場合には交換の必要がある。
また、撮影レンズの前を覆う窓は、傷が付きにくく、平面度等の精度の出しやすいガラス製である事が望ましい。しかし、デジタルカメラの内部には、作動時に熱を発生するＣＣＤや、回路素子があるため、カメラ内部は温度が高くなる。カメラの内部の温度が上がって、カメラの外部の温度が低い状態になると、撮影レンズの前に設けられているガラス製の窓（カバーガラス）は熱伝導率が高いため、カメラの回りの温度に影響されて温度が下がって、内側に結露が生じ、曇ってしまうことがある。内側に結露を起こした場合には、簡単に拭き取ることが出来ず、撮影が出来なくなってしまうという問題が生じる。
【０００８】
本発明は、簡単な操作で防水機能が確実に作用しているかを確認することができる撮像装置を提供することを目的とする。
また他の目的は、防水構造の外装カバーと、繰り出し沈胴作動をするズームレンズ鏡胴を有する防水型デジタルカメラにおいて、外装カバーに衝撃が加わった場合に、そのズームレンズ鏡胴に加わる衝撃を緩和することである。
また他の目的は、汎用性に優れ、かつ、簡易な構造で撮影レンズ前のカバーガラスの結露を防止することができ、また、ＣＣＤ、電気素子等カメラ内部の重要な部品の結露を防止することである。
【課題を解決するための手段】
【０００９】
上記目的を達成するために、請求項１記載の発明は、防水機能を有する撮像装置本体と、パッキン部材により防水構造とした電池蓋と、防水機能に不具合がないか否かを確認する防水機能検査確認窓と、該防水機能検査確認窓から確認可能な指標部と、を備えることを特徴とする。
請求項２は、前記パッキン部材により気密化されてスプリングの力により移動可能なピストン部と、該ピストン部が内部に配置されて軸方向へ摺動する筒部と、該筒部の一端に設けられた撮像装置本体の外側の大気に通じる穴と、該筒部の他端に設けられて撮像装置本体の内部の空間に通じる開口部と、前記ピストン部の移動範囲内で前記スプリングの力が略最大の位置に固定可能なロック爪と、を備え、前記ピストン部の移動量を前記防水機能検査確認窓から確認可能であることを特徴とする。
【００１０】
請求項３は、前記スプリングの付勢方向は、前記穴の方向であることを特徴とする。
請求項４は、前記ピストン部を、その移動範囲内で前記スプリングの力が略最小となる位置に固定可能な係止爪を備えることを特徴とする。
請求項５は、前記ロック爪と前記係止爪は、撮像装置本体の外側の外気側に配置され、また、前記指標部は撮像装置本体の内側に配置されていることを特徴とする。
請求項６は、防水機能を有する外装カバーと、撮影レンズと、該撮影レンズにより形成される光学像を撮像して電気信号に変換するＣＣＤと、作動時に発熱を伴う電気素子と、前記撮影レンズの前面に配置されたカバーガラスと、前記外装カバー下部に外装カバー内部の空間とつながる注入口及び排出口と、該注入口及び排出口を防水状態で塞ぐ防水カバーと、を備えることを特徴とする。
【００１１】
請求項７は、前記注入口へは乾燥剤により湿気を除去されて乾燥した空気を注入する注入装置を接続可能とし、前記排出口からは前記外装カバー内部の空気を排出可能としたことを特徴とする。
請求項８は、前記排出口から前記外装カバー内部の空気を排出し、該排出された空気を乾燥剤の中を通して湿気を除去して前記注入口から乾燥した空気を注入する空気循環乾燥装置を接続可能としたことを特徴とする。
請求項９は、前記空気循環乾燥装置の定められた位置に該撮像装置を設置することにより、当該撮像装置の前記排出口及び前記注入口と該空気循環乾燥装置とを接続可能としたことを特徴とする。
【００１２】
請求項１０は、防水機能を有する外装カバーと、鏡胴のベースとなり焦点距離を変化させるズーム時に回転や移動を行なわない固定枠、前記鏡胴を構成する筒のうち少なくとも１つが回転せずに前後に進退する直進筒、及び少なくとも一つは回転するが前後には移動しない回転筒を有するズームレンズ鏡胴と、前記ズームレンズ鏡胴により形成される光学像を撮像して電気信号に変換するＣＣＤと、前記外装カバーと一体に形成されて前方に突出し所定の隙間を有して前記ズームレンズ鏡胴を被う鏡胴カバー部と、前記ズームレンズ鏡胴前面に配置されたカバーガラスと、を備え、前記固定枠の前面部と前記外装カバーとの間にゴム部材を挟んだことを特徴とする。
【００１３】
請求項１１は、前記ゴム部材はリング状の形状であることを特徴とする。
請求項１２は、前記ゴム部材はゴム小片として概略角度９０°間隔で複数個配置されていることを特徴とする。
請求項１３は、前記ゴム部材の断面形状は円形のＯリングであることを特徴とする。
請求項１４は、前記ゴム部材は前記固定枠の先端円周方向外形も覆う形状のゴム部材であることを特徴とする。
請求項１５は、前記ゴム部材は低反発性ゴムから成ることを特徴とする。
【発明の効果】
【００１４】
本発明の撮像装置は、防水機能を有する撮像装置本体と、パッキン部材により防水構造とした電池蓋と、防水機能に不具合がないか否かを確認可能する防水機能検査確認窓と、防水機能検査確認窓から確認可能な指標部とを備えるので、簡単な操作で防水機能が確実に作用しているかを確認することができる。
また、焦点距離を変化させるズーム時に回転や移動をしない鏡胴のベースとなる固定枠と、外装カバーの間に、ゴム部材を挟んでいるために、落下等により外装カバーに衝撃が加わった場合に、ゴム部材により衝撃が緩和されて、ズームレンズ鏡胴に加わる衝撃を少なくすることができ、ズームレンズ鏡胴が破損したりするのを防止することができる。
【００１５】
また、外装カバー下部に外装カバー内部につながる複数の開口穴があるので、使用しない時にその開口穴を開口しておけば、ここから外装カバー内部の空気が外部の空気と換気が行われて、外装カバー内部の空気の湿気を除くことができる。
また、その複数の開口穴を、防水状態で塞ぐ防水カバーを有しているので、使用する時には防水状態にすることができる。
【発明を実施するための最良の形態】
【００１６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る撮像装置の前方斜視図、図２は同じく後方斜視図である。図１と図２を参照して説明する。撮像装置本体１は、正面から見て左側が弾性部材で作られた右手グリップ部２で、その後方にはメモリーカードと電池を装着可能なカードスロット部と電池室を被う電池蓋３が設けられている。この電池蓋３は開閉可能であり、防水パッキンにより防水性能が保たれ、ロックダイヤル４を回すことにより、閉状態と開状態とにすることが可能である。
【００１７】
中央にはズーム撮影レンズ５が取り付けられており、その上方にはユーザが撮影範囲等を目視で確認するための光学ファインダ６、低照度での撮影等の場合に補助光を発するためのストロボ７が設けられている。
また上面には、カメラの各種モードを選択する回転型モードダイヤル８と、その中央にはカメラの電源をＯＮ／ＯＦＦする電源スイッチ９、シャッタボタン１０、外部ストロボを取り付けるアクセサリーシュー１１が設けられている。
また、正面から見て右側が弾性部材で作られた左手グリップ部１２で、その後方には外部出力端子を覆う端子蓋１３が設けられている。この端子蓋１３は開閉可能であり、防水パッキンにより防水性能が保たれていて、ロックレバー１４を動かすことにより閉状態と開状態とにすることが可能である。
【００１８】
後面には、撮影画像を表示したり、撮影モードを表示したりするＬＣＤモニター１５、ファインダ接眼部１６、ファインダＬＥＤ窓１７、ズームボタン１８、複数のモードスイッチ１９が設けられている。また、撮像装置本体１は、防水用のパッキンを用いて防水機能を持っている。
本発明では、防水機能検査確認窓２０から、防水検査結果を示す撮像装置本体１内の指標部２１の移動量を見ることによって、その撮像装置本体１の防水機能が維持されているかどうかを確認することが可能である。また、操作レバー２２を手動操作によって右方向端まで動かすことにより、指標部２１を検査準備位置にセットすることが可能である。
【００１９】
図３は本発明の実施形態に係る撮像装置における防水機能検査装置部の水平断面概略図である。
レバー２２には、防水パッキン２３によって防水構造とされて筒部２４の中を摺動するピストン部２５が軸２６により連結され、さらにその先にはその移動量を表示するための指標部２１が軸２８により連結されている。
レバー２２よりも左側の内壁にはロック爪３１が圧縮スプリング３０により支持されて上下動自在に配置されている。このロック爪３１は図示のようにレバー２２の端面と係合したときにレバー２２が左方へ移動することを阻止する。
【００２０】
ピストン部２５はスプリング２９により図示左方向に付勢されている。その状態で、ユーザが指でレバー２２を右方向の端まで動かすと、ロック爪３１の傾斜面に沿ってレバーはロック爪を乗り越え、圧縮スプリング３０の力により付勢されたロック爪３１の作用によりレバー２２はロックされた状態になる。
このロック状態で、電池蓋３と端子蓋１３を閉じて、図６に示したカメラ底面にあるロック解除ボタン３２を図示矢印３３方向に動かすと、ロック爪３１が図示矢印３４方向（退避方向）に移動して、レバー２２のロックが外れる。
すると、スプリング２９によりピストン部２５に図示左方向に力が加わるため、撮像装置本体１の内部に通じた穴４０から空気を吸い込もうとする一方、筒部２４内の空気は穴５１から排出されようとするが、撮像装置本体１の防水機能が維持されていれば、スプリング２９の力と撮像装置本体１の気圧が釣り合ってピストン部２５が少し左方向に移動した図４に示した状態で静止する。
【００２１】
万が一、撮像装置本体１の外壁の気密性が低下して防水機能が維持されていない場合には、漏れ部から撮像装置本体１に外部の空気が入ってくるので、ピストン部２５がさらに左方向に移動してしまう。それにより、指標部２１の位置を防水機能検査確認窓２０から確認することにより、撮像装置本体１の防水機能が維持されているかどうかを知ることが可能である。
図５は、防水機能検査装置部の水平断面を示す図であるが、防水検査機能を使用しないときの状態を示す。レバー２２を左端まで移動して、図６に示したカメラ底面にある固定ボタン４１を「ＬＯＣＫ」４２位置にすると、係止爪４３によりレバー２２が固定される。
【００２２】
図７は本発明の第２の実施形態に係る防水型デジタルカメラの前方斜視図、図８は同じく後方斜視図である。図７と図８を参照して説明する。
デジタルカメラ本体６１は、正面から見て左側が弾性部材で作られた右手グリップ部６２で、その後方には、メモリーカードを装着可能なカードスロット部と電池を装着可能な電池室を被う電池蓋７２が設けられている。この電池蓋７２は開閉ダイヤル７３を回すことにより、ロック状態とロック解除状態が選択可能である。
【００２３】
中央にはズーム撮影レンズ６３が取り付けられており、その上方にはユーザが撮影範囲等を目視で確認するための光学ファインダ６５、低照度での撮影等の場合に補助光を発するためのストロボ６６が設けられている。上面には、カメラの各種モードを選択する回転型モードダイヤル６７と、その中央にはカメラの電源をＯＮ／ＯＦＦする電源スイッチ６８、その右にシャッタボタン６９、左には外部ストロボを取り付けるアクセサリーシュー７０が設けられている。また、正面から見て右側が弾性部材で作られた左手グリップ部６４で、その後方には外部出力端子を被う端子蓋７１が設けられ、後面には、撮影画像を表示したり撮影モードを表示したりする画像表示装置８１、また、その上方にはファインダ接眼部８２、ファインダＬＥＤ窓８３、右側にはズームボタン８４、その下には複数のモードスイッチ８５が設けられている。
また、デジタルカメラ本体６１は、防水用のＯリングを用いて防水機能を持たされている。
【００２４】
図９は、デジタルカメラ本体６１のズーム撮影レンズ６３の光軸に沿う縦断面の概略を示す図である。同じ構成要素には図７、図８と同じ参照番号を付して説明する。上部には光学ファインダ６５が、後面には液晶からなる画像表示装置８１が設けられている。ズーム撮影レンズ６３を通過した被写体からの光は、ＣＣＤ９０に到達して、撮像されて電気信号とされ、ＣＣＤ駆動ＩＣ等が搭載された回路基板９１に伝達されて回路処理が行われて画像信号となる。
ズーム撮影レンズ６３が取り付けられたズームレンズ鏡胴１００は、鏡胴のベースとなり焦点距離を変化させるズーム時に回転や移動をしない固定枠１０１と、鏡胴を構成する筒のうち回転はせずに前後に進退する直進筒１０２と、回転するが前後には移動しない回転筒１０３とを有する。
【００２５】
外装カバー１０４と一体に形成されて前方に突出し、所定の隙間を有して前記ズームレンズ鏡胴１００を被う鏡胴カバー部１０５と、ズーム撮影レンズ６３の前面にはその保護と防水機能のためにカバーガラス９２が設けられている。
ズームレンズ鏡胴１００の固定枠１０１の前面部１０６と外装カバー１０４の間に、ゴム部材１０７を挟んで構成されている。前記ゴム部材１０７は、図１０に示したようなリング状の形状１１１でも良いし、図１１に示したようにゴム小片１１２として概略角度９０°間隔で４個配置しても良い。この場合にはゴム小片１１２は、外装カバー１０４の内面か、固定枠１０１の前面部１０６に、両面テープ等により接着する。
また、前記ゴム部材１０７は、図１２に示すように、断面形状が円形のＯリング１０８でも良いし、図１３に示すように、前記固定枠１０１の先端円周方向外形１０８も覆う形状の部材１０９にすることも可能である。
また、前記ゴム部材１０７、１１１、１１２、１０８、１０９は、例えば内外ゴム株式会社製の商品名「ハネナイト」などの低反発性ゴム製にするのも緩衝効果が上がるので良い。
【００２６】
図１４は、本発明の第３の実施形態に係る防水型デジタルカメラ本体のズーム撮影レンズの光軸に沿う縦断面の概略を示す図である。上部には光学ファインダ６５が、後面には液晶からなる画像表示装置８１が設けられている。ズーム撮影レンズ６３を通過した被写体からの光は、ＣＣＤ９０に到達して、撮像されて電気信号とされ、ＣＣＤ駆動ＩＣ等が搭載された回路基板９１に伝達されて回路処理が行われて画像信号となる。ＣＣＤ６０は消費電力が大きく発熱量が大きい。回路基板９３には、デジタルカメラの電源であるＤＣＤＣの回路素子９４が搭載されているが、これもまた発熱量が大きい。
ズーム撮影レンズ６３の前面にはその保護と防水機能のためにカバーガラス９２が設けられている。
デジタルカメラ本体６１の外装カバー９５下部には外装カバー９５内部の空間とつながった開口穴１２３、１２１が２個あり、その２個の開口穴１２３、１２１は、防水カバー９８を閉じて、ロックレバー９９を回転させて、ロック爪１２０が外装カバー９５下部の凹み部１２５に系合すると、防水カバー９８がロックされて、図１５に示した状態になる。また、その時にゴム製の板１２６が前記の開口穴外側部１２４、１２２に押し付けられて防水状態になる。
【００２７】
図１６は、外装カバー９５下部の前記２個の開口穴１２３、１２１のうちの片方の開口穴１２１に、乾燥剤１３１により湿気が除去されて乾燥した空気を注入する装置１３２を接続している状態を示している。接続ホース１３０が開口穴１２１に接続され、ファン１３４がモーター１３３により回転されることにより、装置１３２の空気取り入れ口１３５から外部の空気が取り入れられ、その空気が乾燥剤１３１の中を通して湿気を除去されてから、外装カバー９５内部に送り込まれる。
また、他方の開口穴１２３から外装カバー９５内部の空気が外部に排出される。
【００２８】
図１７は、外装カバー９５下部の前記２個の開口穴１２３、１２１のうちの片方の開口穴１２１に、乾燥剤１４１により湿気が除去されて乾燥した空気を注入して、他方の開口穴１２３から外装カバー９５内部の空気が排出されて、その空気はファン１４２により前記乾燥剤１４１に送りこまれる装置１４３を接続している状態を示している。この装置１４３の場合には、外部から空気を取り入れるのではなく、カメラの外装カバー９５内部の空気を循環させて空気の湿気を除去する。また、この装置１４３とデジタルカメラ本体６１との接続は、デジタルカメラ本体６１をこの装置１４３の上に置くだけで、外装カバー９５下部の２個の開口穴１２３、１２１とこの装置の空気吸引口１４４・注入口１４０に接続される。
【図面の簡単な説明】
【００２９】
【図１】本発明の第１の実施形態に係る撮像装置の前方斜視図である。
【図２】本発明の第１の実施形態に係る撮像装置の後方斜視図である。
【図３】本発明の第１の実施形態に係る撮像装置における防水機能検査装置部の水平断面概略図である。
【図４】本発明の第１の実施形態に係る撮像装置における防水機能検査装置部の第２の態様を示す水平断面概略図である。
【図５】本発明の第１の実施形態に係る撮像装置における防水機能検査装置部の第３の態様を示す水平断面概略図である。
【図６】本発明の第１の実施形態に係る撮像装置の底面図である。
【図７】本発明の第２の実施形態に係る防水型デジタルカメラの前方斜視図である。
【図８】本発明の第２の実施形態に係る防水型デジタルカメラの後方斜視図である。
【図９】デジタルカメラ本体のズーム撮影レンズの光軸に沿う縦断面の概略を示す図である。
【図１０】リング状の形状のゴム部材の図である。
【図１１】ゴム小片として概略角度９０°間隔で４個配置した図である。
【図１２】断面形状が円形のＯリングのゴム部材の図である。
【図１３】固定枠の先端円周方向外形も覆うゴム部材の図である。
【図１４】本発明の第３の実施形態に係る防水型デジタルカメラ本体のズーム撮影レンズの光軸に沿う縦断面の概略を示す図である。
【図１５】防水カバーがロックされた状態の図である。
【図１６】乾燥した空気を注入する装置を接続している状態を示す図である。
【図１７】乾燥剤に送りこまれる装置を接続している状態を示す図である。
【符号の説明】
【００３０】
１  撮像装置本体、３  電池蓋、２０  防水機能検査確認窓、２１  指標部、２２  レバー、２３  防水パッキン、２４  筒部、２５  ピストン部、２６軸、２８  軸、２９  スプリング、３０  圧縮スプリング、３１  ロック爪
【図１】
2008015445.tif 000003
【図２】
2008015445.tif 000004
【図３】
2008015445.tif 000005
【図４】
2008015445.tif 000006
【図５】
2008015445.tif 000007
【図６】
2008015445.tif 000008
【図７】
2008015445.tif 000009
【図８】
2008015445.tif 000010
【図９】
2008015445.tif 000011
【図１０】
2008015445.tif 000012
【図１１】
2008015445.tif 000013
【図１２】
2008015445.tif 000014
【図１３】
2008015445.tif 000015
【図１４】
2008015445.tif 000016
【図１５】
2008015445.tif 000017
【図１６】
2008015445.tif 000018
【図１７】
2008015445.tif 000019